(57)【要約】【課題】  指を通すためのリング部を凹部に収容すると、凹部からリング部を引き出しにくくなる。【解決手段】  携帯端末用ケース１は、ケース本体１０に移動可能に取り付けられたリング２０と、リング２０を収容する凹部１０ａと、凹部１０ａに収容されたリング２０の内側に配置され、ユーザによって押し込まれる操作部３０と、を有する。操作部３０の一部は、凹部１０ａの底面１０ａ１と接続されており、操作部３０は、凹部１０ａの底面１０ａ１から突出している。押し込みによる操作部３０の弾性変形によって、凹部１０ａの外側に向かう力をリング２０に与える爪部３１が操作部３０に設けられている。操作部３０を押し込むことにより、凹部１０ａに収容されたリング２０を凹部１０ａの外側に移動させることができる。【選択図】  図１
2018033067.tif 000002
【特許請求の範囲】
【請求項１】
ケース本体に移動可能に取り付けられたリングと、
前記リングを収容する凹部と、
前記凹部に収容された前記リングの内側に配置され、ユーザによって押し込まれる操作部と、を有し、
前記操作部は、この一部が前記凹部の底面と接続されて前記底面から突出しているとともに、前記押し込みによる前記操作部の弾性変形によって、前記凹部の外側に向かう力を前記リングに与える爪部を有することを特徴とする携帯端末用ケース。
【請求項２】
前記爪部は、前記操作部において、前記操作部及び前記底面の接続部分とは反対側に設けられていることを特徴とする請求項１に記載の携帯端末用ケース。
【請求項３】
前記リングは、前記ケース本体に摺動可能に取り付けられた球状部を有することを特徴とする請求項１又は２に記載の携帯端末用ケース。
【請求項４】
前記球状部と接触して前記球状部に摩擦抵抗を与える摩擦材を有することを特徴とする請求項３に記載の携帯端末用ケース。
【発明の詳細な説明】
【技術分野】
【０００１】
本発明は、携帯端末に装着されるケースに関する。
【背景技術】
【０００２】
特許文献１には、携帯端末を片手で保持するための携帯端末用保持具が記載されている。この携帯端末用保持具は、携帯端末を片手で保持するときに、指を通すことができるリング部を有する。リング部を使用しないときには、携帯端末用保持具の表面に形成された凹部にリング部を収容している。また、リング部を使用するときには、凹部からリング部を引き出している。
【先行技術文献】
【特許文献】
【０００３】
【特許文献１】特開２０１４−１８７５８６号公報（段落[００２１]，図２等）
【発明の概要】
【発明が解決しようとする課題】
【０００４】
特許文献１において、凹部からリング部を引き出すためには、凹部及びリング部の間に指を入れなければならないが、指を入れにくいこともあり、リング部を引き出しにくい。
【課題を解決するための手段】
【０００５】
本発明である携帯端末用ケースは、ケース本体に移動可能に取り付けられたリングと、リングを収容する凹部と、凹部に収容されたリングの内側に配置され、ユーザによって押し込まれる操作部と、を有する。操作部の一部は、凹部の底面と接続されており、操作部は、凹部の底面から突出している。また、押し込みによる操作部の弾性変形によって、凹部の外側に向かう力をリングに与える爪部が操作部に設けられている。
【０００６】
本発明によれば、操作部を押し込むことにより、凹部に収容されたリングを凹部の外側に移動させることができる。具体的には、操作部を押し込むと、爪部によってリングが凹部の底面に押し付けられることにより、リングは、凹部の底面から反力を受ける。操作部を押し込み続けると、爪部によるリングの押し付けが解除され、リングは、上述した反力によって、凹部の外側に向かって移動する。これにより、リングの一部を凹部から突出させることができるため、ユーザは、リングを凹部から容易に引き出すことができる。
【０００７】
爪部は、操作部において、操作部及び底面の接続部分とは反対側に設けることができる。操作部を押し込んだときには、操作部及び底面の接続部分が基点となって、操作部が弾性変形するが、この基点とは反対側に爪部を設けることにより、操作部の押し込みによる爪部の移動量を確保しやすくなる。爪部の移動量を確保することにより、爪部によるリングの押し付けが解除された後、リングと接触しない位置まで爪部を移動させることができる。これにより、凹部の外側に向かってリングが移動するときに、爪部がリングと接触したままとなることを防止でき、リングの移動が妨げられてしまうことを抑制できる。
【０００８】
リングに球状部を設け、この球状部をケース本体に摺動可能に取り付けることができる。これにより、球状部を中心として、リングを所定方向に移動させたり、リングの向きを自由に変更したりすることができる。
【０００９】
摩擦材を球状部に接触させることにより、球状部及び摩擦材の間で摩擦抵抗を発生させることができる。これにより、操作部の押し込みによって、凹部の外側にリングを移動させた後、球状部及び摩擦材の間の摩擦抵抗によって、リングの一部を凹部から突出させたままとすることができる。すなわち、凹部の外側に突出させたリングが、凹部の内側に戻ってしまうことを防止できる。
【図面の簡単な説明】
【００１０】
【図１】ケースの正面図である。
【図２】ケースの背面図である。
【図３】ケースの左側面図である。
【図４】ケースの右側面図である。
【図５】ケースの上面図である。
【図６】ケースの下面図である。
【図７】ケースの縦断面図である。
【図８】ケースの横断面図である。
【図９】リングを省略したケースの正面図である。
【図１０】リングを取り出すときの動作を説明する図である。
【図１１】リングを取り出すときの動作を説明する図である。
【図１２】リングの使用状態を説明する図である。
【発明を実施するための形態】
【００１１】
以下、本発明の実施形態であるケースについて説明する。本実施形態のケースは、スマートフォンなどの携帯端末に装着されて使用される。
【００１２】
図１はケースの表面を示す図（正面図）であり、図２はケースの裏面を示す図（背面図）である。図３は、図１，２に示す矢印Ｄ１の方向からケースを見たときの図（左側面図）であり、図４は、図１，２に示す矢印Ｄ２の方向からケースを見たときの図（右側面図）である。
【００１３】
図５は、図１，２に示す矢印Ｄ３の方向からケースを見たときの図（上面図）であり、図６は、図１，２に示す矢印Ｄ４の方向からケースを見たときの図（下面図）である。図７は、図１のＡ−Ａ断面図（縦断面図）であり、図８は、図１のＢ−Ｂ断面図（横断面図）である。
【００１４】
ケース１は、ポリカーボネートなどの樹脂で形成されたケース本体１０を有しており、ケース本体１０には開口部１１が形成されている。開口部１１は、ケース１を携帯端末に装着したとき、携帯端末に設けられた撮影レンズを塞がないために形成されている。開口部１１の位置、サイズ及び形状は、適宜決めることができる。
【００１５】
なお、開口部１１は形成しなくてもよい。この場合には、携帯端末の撮影レンズがケース１によって覆われてしまうが、例えば、ケース１及び携帯端末を相対的にスライドさせる構造をケース１に設ければ、撮影レンズを覆わない位置までケース１を移動させることができる。
【００１６】
ケース１は、４つの保持部１２ａ〜１２ｄを有しており、各保持部１２ａ〜１２ｄは、ケース本体１０からケース１の裏面側に突出している。保持部１２ａ〜１２ｄは、ケース１を携帯端末に装着するとき、携帯端末を保持するために用いられる。保持部１２ａ〜１２ｄは、携帯端末の側面に設けられたボタンや端子を覆わない位置に設けられている。ケース本体１０に形成される保持部（１２ａ〜１２ｄ）は、携帯端末のボタン等を覆わずに、携帯端末を保持することができれば良いため、この点を考慮して、保持部の数や、保持部を設ける位置を適宜決めることができる。
【００１７】
図２に示すように、ケース本体１０の裏面には、６つのリブ１３ａ〜１３ｆが一体的に形成されている。リブ１３ａ〜１３ｆは、ケース本体１０の変形を抑制するために形成されている。本実施形態では、ケース本体１０の表面側に凹部１０ａが形成されており、この凹部１０ａは、ケース本体１０の裏面側に突出している。ここで、ケース１を携帯端末に装着したとき、凹部１０ａの底面１０ａ１が携帯端末に最も近づくことになり、ケース本体１０のうちの凹部１０ａを除いた領域は、携帯端末から離れることになる。
【００１８】
このため、携帯端末から離れた領域では、ケース本体１０が変形しやすくなる。そこで、本実施形態では、ケース本体１０のうちの凹部１０ａを除いた領域において、リブ１３ａ〜１３ｆを形成することにより、ケース本体１０の変形を抑制するようにしている。
【００１９】
ここで、図２の上下方向におけるケース本体１０の寸法は、図２の左右方向におけるケース本体１０の寸法よりも長いため、図２の上下方向に関して、ケース本体１０が変形（湾曲）しやすくなる。そこで、本実施形態では、図２に示すように、ケース本体１０の長手方向（図２の上下方向）に延びるリブ１３ａ〜１３ｆを形成することにより、上述したケース本体１０の変形（湾曲）を抑制するようにしている。
【００２０】
なお、ケース本体１０に形成されるリブ（１３ａ〜１３ｆ）は、ケース本体１０の変形を抑制できれば良いため、この点を考慮して、リブの数や、リブを形成する位置を適宜決めることができる。
【００２１】
図１に示すように、ケース本体１０の凹部１０ａには、リング２０が配置されている。リング２０は、リング本体２１と、球状部２２と、リング本体２１及び球状部２２を連結する連結部２３とを有する。図７の左右方向におけるリング本体２１の両端面は、平坦面２１ａで構成されている。
【００２２】
本実施形態では、リング本体２１が円環状に形成されているが、他の形状に形成してもよい。例えば、リング本体２１を多角形の環状に形成したり、リング本体２１の全体を連続した環状に形成せずに、互いに離れた端部をリング本体２１に設けたりすることができる。ここで、凹部１０ａは、リング本体２１を収容できるように、リング本体２１の形状に沿って形成されていればよい。
【００２３】
図１に示すように、球状部２２の一部は、ケース本体１０によって覆われており、球状部２２がケース本体１０から抜け出ないようになっている。図１において、球状部２２の外形は、点線で示している。そして、球状部２２は、ケース本体１０に対して摺動可能に取り付けられている。
【００２４】
図１に示すように、凹部１０ａの内側には操作部３０が設けられている。操作部３０は、凹部１０ａに収容されたリング本体２１を凹部１０ａの外側に突出させるために、ユーザによって押し込まれる。操作部３０の操作方法については後述する。
【００２５】
操作部３０は、凹部１０ａの底面１０ａ１からケース本体１０の表面側に突出しており、操作部３０と凹部１０ａとの間に形成されたスペースにリング本体２１が収容されている。また、操作部３０は、図２に示す領域Ｒだけにおいて、凹部１０ａの底面１０ａ１と一体的に形成されている。この点については、図９を用いて詳しく説明する。図９は、図１に示す構造において、リング２０を省略した図である。
【００２６】
図９に示すように、領域Ｒを除いて、操作部３０は、凹部１０ａの底面１０ａ１に接続されていない。そして、凹部１０ａの底面１０ａ１には、切り欠き部Ｃが形成されている。これにより、ケース本体１０の表面側から操作部３０を押し込むと、操作部３０及び凹部１０ａの接続部分を弾性変形させながら、操作部３０の一部を切り欠き部Ｃの内側に進入させることができる。ここで、操作部３０を押し込んだときに、操作部３０が凹部１０ａと干渉しないように切り欠き部Ｃが形成されている。
【００２７】
操作部３０には爪部３１が設けられている。図９から分かるように、爪部３１は、操作部３０において、操作部３０及び凹部１０ａの接続部分（領域Ｒ）とは反対側に設けられている。なお、爪部３１を設ける位置は、図９に示す位置に限るものではない。すなわち、操作部３０を押し込んだときに、この押し込み方向に爪部３１が移動できれば良く、この点を考慮して、爪部３１を設ける位置を決めることができる。具体的には、操作部３０及び凹部１０ａの接続部分（領域Ｒ）とは異なる位置に、爪部３１を設けることができる。
【００２８】
図１に示すように、リング本体２１が凹部１０ａに収容されているとき、爪部３１は、リング本体２１の一部に接触する。上述したように、ケース本体１０の表面側から操作部３０を押し込んだとき、爪部３１は、リング本体２１の内側に向かって移動する。
【００２９】
図２に示すように、ケース本体１０の裏面側には、シート状のストッパ４１が配置されている。ここで、ケース本体１０に設けられた２つのピン４２は、ストッパ４１をケース本体１０に固定するために用いられる。なお、ピン４２は省略することもできる。
【００３０】
図７に示すように、ストッパ４１は、球状部２２に対応した位置に配置されている。球状部２２は、ケース本体１０の裏面側からケース本体１０に組み込まれるが、球状部２２がケース本体１０の裏面側に抜け出てしまわないように、ストッパ４１が配置されている。
【００３１】
また、球状部２２及びストッパ４１の間には、摩擦材４３が配置されている。摩擦材４３の一部は、球状部２２と接触して球状部２２に沿った形状に形成されている。摩擦材４３は、球状部２２の接触面に対して摩擦抵抗を与えるために用いられる。摩擦材４３としては、例えば、ゴムを用いることができる。図７に示すように、摩擦材４３の一部は、ストッパ４１に形成された穴部４１ａに挿入されている。これにより、ストッパ４１に対して摩擦材４３を位置決めすることができる。
【００３２】
本実施形態では、球状部２２をケース本体１０に組み込み、球状部２２を基準としてリング２０を移動させているが、これに限るものではない。すなわち、リング本体２１が、凹部１０ａに収容された位置と、凹部１０ａから引き出された位置との間で移動できるように、リング２０の一部が、ケース本体１０に対して摺動可能に取り付けられていればよい。例えば、特許文献１に記載のリング部と同様に、２つの脚部をリング２０に設けておき、これらの脚部をケース本体１０に設けられた穴に挿入することができる。これにより、脚部を中心として、凹部１０ａに収容された位置と、凹部１０ａから引き出された位置との間でリング本体２１を回動させることができる。
【００３３】
次に、操作部３０の操作方法について、図１０及び図１１を用いて説明する。図１０及び図１１は、図７の一部を拡大した図に相当する。
【００３４】
ユーザの指などによって図１０に示す矢印Ｆ１の方向に操作部３０を押し込むと、操作部３０の一部（凹部１０ａと接続された部分）が弾性変形することにより、爪部３１が矢印Ｆ１の方向に移動しようとする。爪部３１は、リング本体２１の上方に位置しているため、矢印Ｆ１の方向に移動しようとすると、リング本体２１を凹部１０ａの底面１０ａ１に押し付けることになる。このとき、リング本体２１は、凹部１０ａの底面１０ａ１から、矢印Ｆ２の方向の反力を受ける。
【００３５】
操作部３０を押し込み続けると、爪部３１がリング本体２１の外面に沿って摺動してリング本体２１の内側に移動する。これにより、爪部３１によるリング本体２１の押し付けが解除されるが、リング本体２１は、上述したように矢印Ｆ２の方向の反力を受けているため、図１１に示すように、凹部１０ａの外側に向かって移動する。すなわち、リング本体２１は、ケース本体１０の表面から突出する。ここで、球状部２２は、摩擦材４３と接触しているため、球状部２２及び摩擦材４３の間の摩擦抵抗によって、リング本体２１は、ケース本体１０の表面から突出した位置に維持される。すなわち、凹部１０ａの外側に突出させたリング本体２１が、凹部１０ａの内側に戻ってしまうことを防止できる。
【００３６】
本実施形態では、上述したように、操作部３０において、操作部３０及び凹部１０ａの接続部分（領域Ｒ）とは反対側に爪部３１を設けているため、操作部３０を押し込んだときの爪部３１の移動量を確保しやすくなる。具体的には、操作部３０を押し込んだときには、操作部３０及び凹部１０ａの接続部分（領域Ｒ）が基点となって、操作部３０が弾性変形する。この基点とは反対側に爪部３１を設けることにより、操作部３０の押し込みによる爪部の移動量を確保しやすくなる。
【００３７】
これにより、リング本体２１の上方に位置していた爪部３１を、リング本体２１の下方の位置まで移動させやすくなる。このように爪部３１を移動させれば、爪部３１がリング本体２１に接触したままとなることを防止できる。リング本体２１が矢印Ｆ２の方向の反力を受けて移動しようとするとき、爪部３１がリング本体２１に接触したままでは、リング本体２１の移動を妨げてしまい、ケース本体１０の表面からリング本体２１を突出させにくくなる。本実施形態では、爪部３１がリング本体２１の内側に移動した後、リング本体２１と接触しない位置まで爪部３１を移動させることができる。これにより、リング本体２１の移動を妨げることを抑制でき、ケース本体１０の表面にリング本体２１を突出させやすくなる。
【００３８】
ユーザは、ケース本体１０の表面から突出したリング本体２１に容易に指をかけることができ、リング本体２１を凹部１０ａの外側に容易に引き出すことができる。リング本体２１を引き出したとき、連結部２３がケース本体１０に接触する位置まで、リング本体２１を移動させることができる。
【００３９】
リング本体２１を凹部１０ａの外側に引き出した後、ユーザは、リング本体２１の内側に指を通すことにより、リング本体２１を介してケース１を支持することができる。そして、ユーザは、リング本体２１を介してケース１を支持しながら、ケース１が装着された携帯端末を操作することができる。ここで、リング２０の球状部２２は、ケース本体１０に摺動可能に取り付けられているため、球状部２２を基準（中心）として、リング本体２１を所定方向に移動させたり、リング本体２１の向きを変更したりすることができる。
【００４０】
一方、図１２に示すように、携帯端末１００に装着されたケース１をテーブルなどの載置面Ｓに置くときに、リング本体２１は、ケース１の支えとして使用することができる。すなわち、ケース本体１０の表面からリング本体２１を突出させて、このリング本体２１の一部を載置面Ｓに接触させることにより、載置面Ｓに対して、ケース１が装着された携帯端末１００を斜めに立たせることができる。これにより、ユーザは、載置面Ｓに対して携帯端末１００を斜めに立たせた状態において、携帯端末１００を使用することができる。
【符号の説明】
【００４１】
１：ケース、１０：ケース本体、１０ａ：凹部、１０ａ１：底面、１１：開口部、
１２ａ〜１２ｄ：保持部、１３ａ〜１３ｆ：リブ、２０：リング、２１：リング本体、
２２：球状部、２３：連結部、３０：操作部、３１：爪部、４１：ストッパ、
４２：ピン、４３：摩擦材、１００：携帯端末
【図１】
2018033067.tif 000003
【図２】
2018033067.tif 000004
【図３】
2018033067.tif 000005
【図４】
2018033067.tif 000006
【図５】
2018033067.tif 000007
【図６】
2018033067.tif 000008
【図７】
2018033067.tif 000009
【図８】
2018033067.tif 000010
【図９】
2018033067.tif 000011
【図１０】
2018033067.tif 000012
【図１１】
2018033067.tif 000013
【図１２】
2018033067.tif 000014